(57)【要約】【課題】複数の同一機器に対してパラメータの設定を行う場合に、効率的にその設定を行えるようにする。【解決手段】ネットワークにコピー元とコピー先となる温度調節器を接続し、アップロードあるいはダウンロードを設定するとともに、アップロードあるいはダウンロードの対象となる温度調節器を指定し、パラメータコピーの実行を指定することにより、コピー元の温度調節器のパラメータデータが、コピー先の温度調節器に転送されたパラメータがコピーされる。【選択図】図６
2009223357.tif 000002
【特許請求の範囲】
【請求項１】
複数の同一機器にパラメータを設定する方法であって、
前記複数の機器を接続する接続ステップと、
前記複数の機器の内、パラメータが設定された機器のパラメータデータを、他の機器に転送して該他の機器にパラメータを設定する設定テップと、
を含むことを特徴とする機器のパラメータ設定方法。
【請求項２】
前記設定ステップには、機器に対して、前記パラメータデータの転送先または転送元の機器を設定するための操作を含む請求項１に記載の機器のパラメータ設定方法。
【請求項３】
前記複数の機器が、温度調節器である請求項１または２に記載の機器のパラメータ設定方法。
【請求項４】
パラメータが設定されるとともに、同一の機器に接続可能な機器であって、
設定されるパラメータデータを格納するメモリを備えるとともに、前記メモリに格納されているパラメータデータを読み出して、当該機器に接続されている他の機器に転送する手段、および、前記他の機器から転送されるパラメータデータを前記メモリに格納する手段の少なくとも一方の手段を備えることを特徴とする機器 。
【請求項５】
前記パラメータデータの転送先または転送元の機器を特定するために操作される操作部を備える請求項４に記載の機器。
【請求項６】
前記機器が、温度調節器である請求項４または５に記載の機器。
【発明の詳細な説明】
【技術分野】
【０００１】
本発明は、温度調節器、デジタルパネルメータ、カウンタ、あるいは、タイマ等の各種の機器に関し、さらに詳しくは、そのパラメータの設定方法に関する。
【背景技術】
【０００２】
この種の機器 、例えば、温度調節器では、制御パラメータ等の各種のパラメータを設定する必要がある（例えば、特許文献１参照）。
【０００３】
温度調節器の高機能化に伴って設定パラメータの数が大幅に増加しており、この設定パラメータの数の増加のために、温度調節器の導入の際には、使用用途に合わせて機器へのパラメータの初期設定、いわゆる、コンフィグレーションの工数も増加している。
【特許文献１】特開２００４−１１０１００号公報
【発明の開示】
【発明が解決しようとする課題】
【０００４】
同じ用途に使用される温度調節器が複数台ある場合には、多数のパラメータは、いずれの温度調節器も同一の設定となる。また、同様の用途に使用される温度調節器が複数台ある場合には、多数のパラメータの大部分は、同一の設定となる。
【０００５】
したがって、ユーザが同一の温度調節器を同じ用途に複数台使用する場合には、個々の温度調節器に対して同様の設定を行う必要があり、冗長なコンフィグレーション工数が発生していた。
【０００６】
また、システム化された装置、例えば、半導体製造装置に組み込まれた複数の温度調節器のいずれかの温度調節器が現場で故障した場合には、故障した温度調節器を交換し、再度、他の温度調節器と同様のパラメータを設定するコンフィグレーションが必要となる。このため、現場にてコンフィグレーション用の専用機器や専用ツールを準備しなければならないとともに、専用機器や専用ツールを扱える作業者を配置しなければならず、別途導入コストがかかっていた。
【０００７】
本発明は、上述のような点に鑑みて為されたものであって、複数の同一機器に対してパラメータの設定を行う場合に、効率的にその設定を行えるようにすることを目的とする。
【課題を解決するための手段】
【０００８】
（１）本発明の機器のパラメータ設定方法は、複数の同一機器にパラメータを設定する方法であって、前記複数の機器を接続する接続ステップと、前記複数の機器の内、パラメータが設定された機器のパラメータデータを、他の機器に転送して該他の機器にパラメータを設定する設定テップとを含むものである。
【０００９】
本発明の機器のパラメータ設定方法によると、パラメータが設定された機器のパラメータデータを、他の機器に転送して設定する、すなわち、パラメータをコピーするので、複数の機器に同一のパラメータを設定する場合に、機器毎に、パラメータを設定する必要がなく、また、機器が現場で故障した場合に、故障した機器を交換するときに、再度コンフィグレーションを行う必要はなく、正常な機器のパラメータをコピーすればよいので、コンフィグレーション用の専用機器や専用ツールを必要としない。
【００１０】
（２）本発明の機器のパラメータ設定方法の一つの実施形態では、前記設定ステップには、機器に対して、前記パラメータデータの転送先または転送元の機器を設定するための操作を含むものである。
【００１１】
この実施形態によると、操作によって、どの機器のパラメータを、どの機器にコピーするかを設定できることになる。
【００１２】
（３）本発明の機器のパラメータ設定方法の他の実施の形態では、前記複数の機器が、温度調節器である。
【００１３】
この実施形態によると、多数のパラメータの設定が必要な複数の温度調節器のコンフィグレーション工数が削減される。
【００１４】
（４）本発明の機器は、パラメータが設定されるとともに、同一の機器に接続可能な機器であって、設定されるパラメータデータを格納するメモリを備えるとともに、前記メモリに格納されているパラメータデータを読み出して、当該機器に接続されている他の機器に転送する手段、および、前記他の機器から転送されるパラメータデータを前記メモリに格納する手段の少なくとも一方の手段を備えている。
【００１５】
本発明の機器によると、パラメータが設定された機器のパラメータデータを、他の機器に転送して設定する、すなわち、パラメータをコピーするので、複数の機器に同一のパラメータを設定する場合に、機器毎に、パラメータを設定する必要がなく、また、機器が現場で故障した場合に、故障した機器を交換するときに、再度コンフィグレーションを行う必要はなく、正常な機器のパラメータをコピーすればよいので、コンフィグレーション用の専用機器や専用ツールを必要としない。
【００１６】
（５）本発明の機器の一つの実施形態では、前記パラメータデータの転送先または転送元の機器を特定するために操作される操作部を備えるようにしてもよい。
【００１７】
この実施形態によると、操作によって、どの機器のパラメータを、どの機器にコピーするかを設定できることになる。
【００１８】
（６）本発明の機器の他の実施形態では、前記機器が、温度調節器である。
【００１９】
この実施形態によると、多数のパラメータの設定が必要な複数の温度調節器のコンフィグレーション工数が削減される。
【発明の効果】
【００２０】
以上のように本発明によれば、パラメータが設定された機器のパラメータデータを、他の機器に転送して設定する、すなわち、パラメータをコピーするので、複数の機器に同一のパラメータを設定する場合に、機器毎に、パラメータを設定する必要がなく、コンフィグレーション工数を削減できる。また、機器が現場で故障した場合に、故障した機器を交換するときに、再度コンフィグレーションを行う必要はなく、正常な機器のパラメータをコピーすればよいので、コンフィグレーション用の専用機器や専用ツールを必要としない。
【発明を実施するための最良の形態】
【００２１】
以下、図面によって、本発明の実施の形態について、詳細に説明する。
【００２２】
（実施の形態１）
図１は、本発明の一つの実施の形態に係る複数、この例では４台の温度調節器１ａ〜１ｄを備えるシステムの構成を示す図である。
【００２３】
複数の温度調節器１ａ〜１ｄが、ＲＳ−２３２ＣあるいはＲＳ−４８５などのシリアルインターフェースを介してネットワーク２に接続されており、このネットワーク２には、図示しない上位機器、例えば、ＰＬＣが接続されており、ＰＬＣから各温度調節器１ａ〜１ｄに対して、動作の開始、停止、あるいは、データの設定、読み出しなどの各種の指令が与えられる。
【００２４】
この実施の形態の温度調節器１ａ〜１ｄは、図２の正面図に示されるように、温度センサからの入力や制御出力を与えるための複数の端子からなる端子台３を備えるとともに、動作表示用のＬＥＤ４やユニット番号等を設定する第１，第２のスイッチ５，６を備えている。各温度調節器１ａ〜１ｄは、両側面に設けられたコネクタ部を介して連結される。
【００２５】
また、各温度調節器１ａ〜１ｄには、目標温度、比例帯、積分時間、微分時間、入力種別等の各種のパラメータが設定され、設定されたパラメータに従って、温度センサからの検出温度が目標温度になるように制御出力を与えて、温度制御を行う。
【００２６】
図３は、温度調節器１ａ〜１ｄのブロック図であり、この図３では、温度調節器１ａ，１ｂを代表的に示している。
【００２７】
各温度調節器１ａ〜１ｄは、ネットワーク２を介して通信するためのシリアルインターフェース７と、各部を制御するＣＰＵ８とを備えている。また、温度調節器１ａ〜１ｄは、通信、表示、スイッチ（ＳＷ）の各ドライバ９〜１１を備えるとともに、通信制御、表示制御、パラメータ制御の各制御プログラム１３〜１５を備えており、更に、ＲＯＭ、ＲＡＭおよび不揮発性メモリの各メモリ１６〜１８を備えている。
【００２８】
この実施形態では、制御プログラムとして、後述のパラメータコピー用の制御プログラム１９を備えており、ＲＯＭ１６には、パラメータテーブルが格納される。
【００２９】
各温度調節器１ａ〜１ｄは、同じ用途、例えば、同じ制御対象の温度制御に使用されるものであり、設定されるパラメータは、同一である。
【００３０】
この実施の形態では、複数の温度調節器１ａ〜１ｄに対して効率的にパラメータの設定を行なえるように、パラメータが設定された温度調節器１ａ〜１ｄのパラメータを、他の温度調節器１ａ〜１ｄにコピーするようにしている。
【００３１】
このパラメータのコピーは、コピー元、又は、コピー先となる温度調節器１ａ〜１ｄを指定し、この温度調節器１ａ〜１ｄに上述の第１，第２のスイッチ５，６の操作による実行命令を与えることで、ネットワーク２内の指定された温度調節器１ａ〜１ｄからのパラメータコピー（アップロード）、又は、同ネットワーク２内の指定された温度調節器１ａ〜１ｄへのパラメータコピー（ダウンロード）を可能としている。
【００３２】
この実施の形態では、図４（ａ）に示される第１のスイッチ５によって温度調節器１ａ〜１ｄのユニット番号を指定する。ネットワーク２内に接続可能な温度調節器の台数が、１６台の場合、この第１のスイッチ５によって「０」〜「１５」までの１６台の温度調節器の指定が可能となる。なお、後述のように、他の全部の温度調節器に対して一括してパラメータコピーを行う場合には、自機器のユニット番号を指定する。
【００３３】
また、図４（ｂ）に示すように、第２のスイッチ６の１番目のビットのスイッチを、アップロードあるいはダウンロードを設定するスイッチとし、２番目のビットのスイッチを、パラメータコピーの実行を要求するためのスイッチとしている。
【００３４】
図５は、パラメータコピーの幾つかのパターンを示している。
【００３５】
図５（ａ）は、第２の温度調節器１ｂを指定し、この指定された第２の温度調節器１ｂから第１の温度調節器１ａへパラメータをアップロードする例を示している。この例では、第１の温度調節器１ａのスイッチ５，６を操作して実行命令を与えることにより、第１の温度調節器１ａからの要求を受けた第２の温度調節器１ｂが、そのパラメータを、第１の温度調節器１ａにアップロードするものである。
【００３６】
すなわち、第１の温度調節器１ａに対して、実行命令として、アップロードとコピー元である第２の温度調節器１ｂのユニット番号とを指定する。これによって、第１の温度調節器１ａは、第２の温度調節器１ｂに対して、パラメータデータの転送を要求し、第２の温度調節器１ｂは、それを受けてパラメータデータを読み出して、矢符で示すように第１の温度調節器１ａに転送する。第１の温度調節器１ａは、転送されたパラメータデータを受けて図３の不揮発性メモリ１８に格納することにより、パラメータの設定が行なわれる。
【００３７】
図５（ｂ）は、第２の温度調節器１ｂを指定し、この第２の温度調節器１ｂへ第１の温度調節器１ａのパラメータをダウンロードする例を示しており、この例では、第１の温度調節器１ａのスイッチ５，６を操作して実行命令を与えることにより、第２の温度調節器１ｂが、第１の温度調節器１ａのパラメータをダウンロードするものである。
【００３８】
すなわち、第１の温度調節器１ａに対して、実行命令として、ダウンロードとコピー先である第２の温度調節器１ｂのユニット番号とを指定する。第１の温度調節器１ａは、パラメータデータを読み出して第２の温度調節器１ｂに転送し、第２の温度調節器１ｂは、転送されたパラメータデータを受けて不揮発性メモリ１８に格納することにより、パラメータの設定が行なわれる。
【００３９】
図５（ｃ）は、第１の温度調節器１ａ以外の他の全ての温度調節器１ｂ〜１ｄを指定し、これら温度調節器１ｂ〜１ｄへ第１の温度調節器１ａのパラメータをダウンロードする例を示しており、この例では、第１の温度調節器１ａに対して実行命令を与えることにより、他の全ての温度調節器１ｂ〜１ｄが、第１の温度調節器１ａのパラメータをダウンロードするものである。
【００４０】
すなわち、第１の温度調節器１ａに対して、実行命令として、ダウンロードとコピー先である他の全ての温度調節器１ｂ〜１ｄのユニット番号とを指定する。第１の温度調節器１ａは、パラメータデータを読み出して、他の全ての温度調節器１ｂ〜１ｄに転送し、他の全ての温度調節器１ｂ〜１ｄは、転送されたパラメータデータを受けて不揮発性メモリ１８に格納することにより、パラメータの設定が行なわれる。
【００４１】
図６は、以上のパラメータのコピーの操作手順を示すフローチャートである。
【００４２】
先ず、ネットワーク２上に、コピー元とコピー先となる温度調節器を接続し（ステップｎ１）、アップロードあるいはダウンロードを、第２のスイッチ６によって設定し（ステップｎ２）、更に、アップロードあるいはダウンロードの対象となる温度調節器を、第１のスイッチ５によって指定し（ステップｎ３）、パラメータコピーの実行を指定して終了する（ステップｎ５）。
【００４３】
図７は、パラメータコピーの処理を示すフローチャートである。
【００４４】
先ず、パラメータコピーの実行要求があったか否かを判断し（ステップｎ１）、実行要求があったときには、アップロードであるか否かを判断し（ステップｎ２）、アップロードであるときには、コピー元のユニット番号を取得し（ステップｎ３）、アップロード処理、すなわち、コピー元のユニット番号の温度調節器に対して、パラメータデータの転送を要求し、転送されたパラメータデータを不揮発性メモリ１８に格納してパラメータの設定を行う。
【００４５】
ステップｎ２において、アップロードでないときには、ダウンロードであるとして、コピー先のユニット番号を取得し（ステップｎ５）、ダウンロード処理、すなわち、当該温度調節器のパラメータデータを読み出して、コピー先のユニット番号の温度調節器に転送する。コピー先の温度調節器は、転送されたパラメータデータを不揮発性メモリ１８に格納してパラメータを設定する。
【００４６】
上述の実施の形態では、モジュールタイプの温度調節器１ａ〜１ｄに適用したけれども、本発明は、図８に示す表示部２１および操作キー２２〜２５を有する温度調節器２０に適用できるものである。
【００４７】
かかる温度調節器２０では、図９に示すようにモードキー２３を操作してアップロードＵＰあるいはダウンロードＤＷを設定し、更に、モードキー２３、ダウンキー２４およびアップキー２５を操作して、温度調節器のユニット番号「０」〜「１５」を指定し、更に、モードキー２３、ダウンキー２４およびアップキー２５を操作して、コピーの実行、停止を指定する。なお、図８の表示部２１には、操作の状態、パラメータの種類、設定値などが表示される。
【００４８】
上述の実施の形態では、温度調節器に適用して説明したけれども、本発明は、温度調節器に限らず、パラメータ の設定が必要なデジタルパネルメータ、カウンタ、タイマなどの他の機器 にも適用できるものである。
【産業上の利用可能性】
【００４９】
本発明は、パラメータの設定が必要な温度調節器などの機器に有用である。
【図面の簡単な説明】
【００５０】
【図１】本発明の一つの実施の形態に係る温度調節器を備えるシステムの構成図である。
【図２】温度調節器の正面図である。
【図３】温度調節器のブロック図である。
【図４】パラメータコピーの操作用のスイッチを示す図である。
【図５】パラメータコピーのいくつかのパターンを示す図である。
【図６】パラメータコピーの操作手順を示すフローチャートである。
【図７】パラメータコピーの処理を示すフローチャートである。
【図８】他の実施形態の温度調節器の斜視図である。
【図９】パラメータコピーの操作手順を示す図である。
【符号の説明】
【００５１】
１ａ〜１ｄ，２０        温度調節器
４                      ＬＥＤ
５，６                  第１，第２のスイッチ
【図１】
2009223357.tif 000003
【図２】
2009223357.tif 000004
【図３】
2009223357.tif 000005
【図４】
2009223357.tif 000006
【図５】
2009223357.tif 000007
【図６】
2009223357.tif 000008
【図７】
2009223357.tif 000009
【図８】
2009223357.tif 000010
【図９】
2009223357.tif 000011